(57)【要約】【課題】幅方向の不均一な発光を防止でき、明るく視認性の良い照明の加飾部を備える指針計器を提供する。【解決手段】指針計器１は、表示意匠２１，２２が形成された文字盤２と、文字盤２の前面に沿って回動する指針４と、表示意匠２１，２２の外枠を形成する加飾部３と、加飾部３を透過照明する光源７とを備える。加飾部３は、表示意匠２１，２２の外周に配設され、光源７は、加飾部３の背後側に配設される。加飾部３は、加飾部３の幅より狭い幅を有すると共に表示意匠の外枠形状を有する透光部３２ａを備える。これにより、加飾部３の幅方向の不均一な発光を防止できる【選択図】  図２
2006194636.tif 000002
【特許請求の範囲】
【請求項１】
表示意匠が形成された文字盤と、
前記文字盤の前面に沿って回動する指針と、
前記表示意匠の外周に配設され、前記表示意匠の外枠を形成する加飾部と、
前記加飾部の背後側に配設され、前記加飾部を透過照明する光源とを備え、
前記加飾部は、該加飾部の幅より狭い幅を有すると共に前記表示意匠の外枠形状を有する透光部を備えることを特徴とする指針計器。
【請求項２】
前記加飾部の背後側に配設され、前記光源からの光を前記透光部へ導く導光手段を備え、
前記導光手段は、前記透光部と対向する位置に、該導光手段へ入射した前記光源からの光を該透光部へ発する光出射部を備えることを特徴とする請求項１記載の指針計器。
【請求項３】
前記光出射部は、前記導光手段へ入射した前記光源からの光を前記透光部へ反射する反射面であることを特徴とする請求項２に記載の指針計器。
【請求項４】
前記透光部は、前記文字盤より目視側の前面側に配置されることを特徴とする請求項１ないし請求項３のいずれか一項に記載の指針計器。
【請求項５】
前記光出射部は、前記文字盤より目視側の前面側であって前記透光部の裏面側に配置されることを特徴とする請求項４に記載の指針計器。
【請求項６】
前記透光部は、前記表示意匠を照明することを特徴とする請求項５に記載の指針計器。
【請求項７】
前記表示意匠の前記外枠形状は、略リング形状であることを特徴とする請求項１ないし請求項６のいずれか一項に記載の指針計器。
【請求項８】
前記加飾部は、表面に加飾表示層と該加飾表示層の裏面側に不透光層を備え、
前記加飾表示層は、透光性であってかつ前記表示意匠の背景部とは異なる表示色を有し、
前記不透光層は、前記透光部として開口部を有し、
前記加飾部は、前記光源を点灯させることにより前記透光部の形状を表示し、
前記加飾部の前記加飾表示層は、前記光源を消灯させることにより前記表示意匠の背景部の色と異なる表示色で表示されることを特徴とする請求項１ないし請求項７のいずれか一項に記載の指針計器。
【発明の詳細な説明】
【技術分野】
【０００１】
本発明は、加飾部を有する指針計器に関するものである。
【背景技術】
【０００２】
近年、指針計器では、見映えのある斬新な表示をするため、様々な方法が提案され、その一つとして、文字盤の表示意匠の外枠を形成すると共に発光表示する加飾部を有する指針計器が知られている。
【０００３】
例えば、複数の光源からの光を加飾部である導光体に入射させて、この導光体をその長手方向（外枠の方向）に均一に発光させる指針計器が開示されている（特許文献１を参照）。
【０００４】
具体的に、この指針計器は、表示意匠を有する文字盤と、文字盤の前面に沿って回動する指針と、文字盤の表面に配置された加飾部である導光体と、文字盤の背後に配置された光源と、文字盤に形成された光調整部を備える。
【０００５】
表示意匠は、指針の指示対象となる数字と目盛等であり、導光体は、この表示意匠の外枠を形成する加飾部である。光源は、導光体を照明するものであり、光調整部は、導光体をその長手方向（表示意匠の外枠の方向）に均一に発光させるために導光体に導かれる光の強度を調整するものである。
【特許文献１】特開２００２−２２８４９３号公報
【発明の開示】
【発明が解決しようとする課題】
【０００６】
特許文献１で開示されている指針計器は、導光体をその長手方向（表示意匠の外枠の方向）に均一に発光させるものであるが、導光体をその幅方向に均一に発光させるものではない。このため、この幅方向に発光斑が生じ、加飾部である導光体の見映えを悪化させる恐れがある。
【０００７】
本発明は、上記点に鑑みてなされたものであり、幅方向の不均一な発光を防止できる加飾部を備える指針計器を提供することを目的とする。
【課題を解決するための手段】
【０００８】
本発明は上記目的を達成するため、以下の技術的手段を採用する。
【０００９】
請求項１に記載の用指針計器は、表示意匠が形成された文字盤と、文字盤の前面に沿って回動する指針と、表示意匠の外周に配設され表示意匠の外枠を形成する加飾部と、加飾部の背後側に配設され加飾部を透過照明する光源とを備え、加飾部が加飾部の幅より狭い幅を有すると共に表示意匠の外枠形状を有する透光部を備える構成とする。
【００１０】
この構成では、加飾部の透光部が加飾部の幅より狭い幅を有すると共に表示意匠の外枠形状を有するため、光源からの光による加飾部の幅方向の不均一な発光を防止できる。
【００１１】
請求項２に記載の用指針計器は、加飾部の背後側に配設され光源からの光を透光部へ導く導光手段を備え、導光手段が透光部と対向する位置に導光手段へ入射した光源からの光を透光部へ発する光出射部を備える構成とする。
【００１２】
この構成では、導光手段が透光部と対向する位置に光源からの光を透光部へ発する光出射部を備えるため、加飾部の透光部の発光輝度を高めることができる。これにより、上述の効果に加え、文字盤の表示意匠やその背景部に対してよりコントラストよく加飾部の透光部を発光表示させることができる。
【００１３】
請求項３に記載の用指針計器は、光出射部が導光手段へ入射した光源からの光を透光部へ反射する反射面である構成とする。
【００１４】
この構成では、光出射部が反射面であるため、低コストで上述の効果を得ることができる。
【００１５】
請求項４に記載の用指針計器は、透光部が文字盤より目視側の前面側に配置される構成とする。
【００１６】
この構成では、透光部が文字盤より目視側の前面側に配置されるため、上述の効果に加え立体感が得られ、見映えをより向上できる。
【００１７】
請求項５に記載の用指針計器は、光出射部が文字盤より目視側の前面側であって透光部の裏面側に配置される構成とする。
【００１８】
この構成では、光出射部が文字盤より目視側の前面側であって透光部の裏面側に配置されるため、加飾部の透光部の発光輝度を高めることができる。これにより、上述の立体感に加え、文字盤の表示意匠やその背景部に対してよりコントラストよく加飾部の透光部を発光表示させることができる。
【００１９】
請求項６に記載の用指針計器は、透光部が表示意匠を照明する構成とする。
【００２０】
この構成では、透光部が表示意匠を照明するため、上述の効果に加え、さらに見映えを向上させることができる。
【００２１】
請求項７に記載の用指針計器は、表示意匠の外枠形状が略リング形状である構成とする。
【００２２】
この構成では、透光部が略リング形状であり、簡易なこの形状で上述の効果を得ることができる。
【００２３】
請求項８に記載の用指針計器は、加飾部が表面に加飾表示層と加飾表示層の裏面側に不透光層を備え、加飾表示層が透光性であってかつ表示意匠の背景部とは異なる表示色を有し、不透光層が透光部として開口部を有し、加飾部が光源を点灯させることにより透光部の形状を表示し、加飾部の記加飾表示層が光源を消灯させることにより表示意匠の背景部の色と異なる表示色で表示される構成とする。
【００２４】
この構成では、加飾部の背後側の光源を消灯した際には、その加飾部の加飾表示層が表示意匠の背景部とは異なる表示色により表示される。このため、光源の消灯時には、加飾部の開口部が目視されることが無くなり、加飾部としての加飾機能が損なわれない。これにより、光源の点灯時における上述の効果に加え、光源の消灯時にも、加飾部としての加飾機能が損なわれることがなくこれを発揮できる。
【発明を実施するための最良の形態】
【００２５】
以下、本発明による指針計器を、自動車に搭載されるコンビネーションメータ１に適用した場合を例に図面に基づいて説明する。
【００２６】
（構成）
図１は、本発明の一実施形態による車両用指針計器であるコンビネーションメータ１の正面図である。図１の矢印が示す上下方向が自動車の上下方向と同じである。
【００２７】
図２は、図１中のＩＩ−ＩＩ断面図である。
【００２８】
図３は、本発明の一実施形態によるコンビネーションメータ１の電気回路構成を説明する回路構成図である。
【００２９】
指針計器であるコンビネーションメータ１は、自動車の運転席前方に配置されて当該自動車に関する各種情報を表示する。本実施形態によるコンビネーションメータ１は、図１に示すように、走行速度を表示する速度計を構成する。
【００３０】
コンビネーションメータ１は、情報を表示して運転者に視認させるための文字盤２を備え、文字盤２には、表示意匠である文字（数字を含む）２１と目盛２２が形成される。
【００３１】
文字２１と目盛２２とは、図２に示すように、透光性を有する材料、例えば透光性を有するポリカーボネート樹脂等の文字盤母材２０の表面（図中の矢印に示す上側の面）に、背景部である背景層２３の開口部として設けられる。背景層２３は、不透光性の部材（または、つや消しの透光性が低い部材）を、文字盤母材２０の表面（図中の矢印に示す上側の面）に印刷あるいはホットスタンプ等を施すことにより形成される。
【００３２】
尚、文字２１と目盛２２とを、背景層２３の開口部としないで、その開口部に透光性の部材を印刷あるいはホットスタンプ等を施すことにより形成してもよい。また、背景層２３は、文字盤母材３０裏面（図中の矢印に示す下側の面）に設けてもよい。
【００３３】
文字盤２の表面には、文字２１と目盛２２との外周に、これらの外枠を形成する加飾部３が設けられる。本発明の特徴である加飾部３は、不透光層３２と加飾表示層である透光層３１とが、この順序で、加飾母材３０の表面（図２の矢印が示す上側の面）に蒸着やめっき処理等を施すことにより形成される。
【００３４】
不透光層３２は、図１に示すように、文字２１と目盛２２との外枠形状である略リング形状を有する透光部である開口部３２ａを有する。加飾母材３０は、透光性を有するアクリルニトリル・ブタジエン・スチレン（ＡＢＳ）樹脂等から表面側（図２の矢印が示す上側）へ突出する形状でリング状に形成される。加飾部３は、文字盤２に対して接着や引っかけ等で固定される。
【００３５】
文字盤２には、後述するムーブメント５のシャフト５１を挿通させるための第１貫通孔２４が設けられ、文字盤２の背後（図２の矢印が示す下側）には、リフレクタ８、導光手段である導光部９、ムーブメント５、発光ダイオード６、光源である発光ダイオード７、およびプリント基板１１が配設される。プリント基板１１は、コンビネーションメータ１の電気回路部を形成するものであり、ムーブメント５と発光ダイオード６、７は、プリント基板１１に実装される。
【００３６】
ムーブメント５は、例えば交差コイル式アクチュエータ、あるいはステッピングモータ等から構成され、外部からの電気信号（本実施形態においては車速信号）に対応した角度だけシャフト５１を回動させるものである。シャフト５１は、文字盤２の第１貫通孔２４を通して前面側（図中の矢印が示す上側）へ延出し、その先端には指針４が固定される。
【００３７】
リフレクタ８は、発光ダイオード６からの例えば白色光を指針４へ導くものであり、指針４は、リフレクタ８に導かれた発光ダイオード６からの白色光により、例えば赤色で発光表示されるように形成される。なお、指針４は、発光ダイオード６が消灯している場合に、例えば赤色で表示されるように形成される。
【００３８】
指針４には、遮光キャップ４１が装着される。遮光キャップ４１は、例えば遮光性を有する樹脂あるいは金属等から形成され、発光ダイオード６の光が、運転者の目に直接入射することを防止するものである。
【００３９】
導光部９は、光源である発光ダイオード７からの例えば白色光を、文字盤２と加飾部３とへ導くものである。この導かれた光により、加飾部３は、後述する如く発光表示されるように、文字２１と目盛２２は、例えば白色で発光表示されるように、それぞれ構成される。
【００４０】
この場合、文字盤２は、発光ダイオード７が消灯されている時に、太陽光等の白色光によって、文字２１と目盛２２が白色表示され、背景層２３が例えば青色表示されるように構成される。
【００４１】
導光部９は、透光性を有するアクリル樹脂等で形成され、第１反射面９１と光出射部である第２反射面９２と拡散反射層９３とを有する。第１反射面９１は、導光部９へ入射した発光ダイオード７からの白色光を第２反射面９２と拡散反射層９３とへ反射する反射面である。
【００４２】
拡散反射層９３は、例えばシボ面あるいは塗装面が形成されたものであり、第１反射面９１からの反射光を文字盤２の文字２１と目盛２２へ導き、これらを均一に透過照明させるものである。
【００４３】
第２反射面９２は、第１反射面９１からの反射光を加飾部３の不透光層３２の開口部３２ａへ反射する反射面である。第２反射面９２からの反射光を開口部３２ａへ到達させるための第２貫通孔２５を、文字盤２において、第２反射面９２と加飾部３との間に形成する。第２貫通孔２５は、その代わりに、透光性を有する文字盤母材２０に背景層２３を形成しない状態としてもよいし、この部位に透光層（または光拡散層）を形成してもよい。
【００４４】
第２貫通孔２５は、加飾部３に沿って略全周に形成されるが、文字盤２が、第２貫通孔２５の外側と内側で分離しないように、一部で第２貫通孔２５を形成しないようにしてもよいし、分離された外側の文字盤を図示しない意匠板（見返し板）で支持する構成としてもよい。
【００４５】
本発明の特徴である加飾部３においては、開口部３２ａを有する不透光層３２を、加飾母材３０の表面にクロム（Ｃｒ）等をマスキング等により蒸着またはめっき処理等を施すことにより、光不透過な状態に形成する。
【００４６】
この不透光層３２上に、透光層３１を、アルミニウム（Ａｌ）等を蒸着またはめっき処理等を施すことにより、光透過な状態に形成する。即ち、不透光層３２の開口部３２ａには、透光層３１が形成され、この開口部３２ａ内に形成された透光層３１により透光部が形成される。
【００４７】
開口部３２ａは、図１に示すように、加飾部３中でその幅より狭く形成された略リング形状を有する。具体的に、開口部３２ａは、その幅を加飾部３の幅より狭く設けるが、文字２１の「０」、「２０」、「６０」、「１００」、「１４０」、「１８０」の各目盛２２の位置で、開口部３２ａの幅を比較的大きく設け、文字２１の「０」、「１８０」の各目盛２２の位置で開口部３２ａを設けない形状とする。
【００４８】
これらの位置で開口部３２ａの幅を比較的大きく設けるのは、開口部３２ａに目盛２２の機能を与えるためであり、文字２１の「０」、「１８０」の位置で開口部３２ａを設けないのは、指針４が回動する範囲と回動しない範囲とに区別するためである。
【００４９】
尚、開口部３２ａは、その幅が均一な単なるリング形状であってもよい。
【００５０】
また、開口部３２ａは、導光部９により導かれた発光ダイオード７からの白色光を受けて、例えば橙色で発光表示されるように、構成される。橙色で発光表示させるには、例えば、第２反射面９２上に図示しない橙色着色層を形成する。
【００５１】
以上説明した本実施形態によるコンビネーションメータ１の電気回路構成について、図３に基づいて説明する。
【００５２】
マイクロコンピュータ等から構成される制御装置１２には、バッテリ１６から電力が常時供給され、イグニッションスイッチ１５がその操作ポジション（オフポジション、オンポジション）を検出可能に接続され、当該自動車の走行速度を検出する車速センサ１３や図示しないセンサやスイッチ等がそれらの信号を入力可能に接続される。
【００５３】
また、制御装置１２には、ライトコントロールスイッチ１４がその操作ポジション（オフポジション、スモールランプポジション、ヘッドランプポジション）を検出可能に接続される。オフポジションでは、車幅灯と尾灯と前照灯が全て消灯し、スモールランプポジションでは、車幅灯と尾灯のみ点灯し、オンポジションでは、車幅灯と尾灯と前照灯が全て点灯する。
【００５４】
また、車速センサ１３からの検出信号に応じて制御装置２によって駆動されるムーブメント５、発光ダイオード６，７も、制御装置１２に接続される。
【００５５】
（作動）
上述したように構成された、本発明の一実施形態によるコンビネーションメータ１の作動について説明する。
【００５６】
イグニッションスイッチ１５がオンされると、図３において、制御装置１２は、それを検出して作動を開始する。即ち、速度センサ１３からの出力信号に基づき、当該自動車の車速を算出し、これに対応した角度だけシャフト５１を回動させるように、ムーブメント５を駆動する。
【００５７】
昼間等の当該自動車の周囲が明るい時は、ライトコントロールスイッチ１４は、オフポジションに操作されて、車幅灯と尾灯と前照灯が全て消灯されている。このオフポジションで、制御装置１２は、発光ダイオード６，７を消灯させている。
【００５８】
一方、夕暮時等の当該自動車の周囲が薄暗い時は、ライトコントロールスイッチ１４は、スモールランプポジションに操作されて、車幅灯と尾灯のみ点灯される。夜間等の当該自動車の周囲が暗い時は、ライトコントロールスイッチ１４は、ヘッドランプポジションに操作されて、車幅灯と尾灯と前照灯が全て点灯される。
【００５９】
これらのスモールランプポジションとヘッドランプポジションで、制御装置１２は、発光ダイオード６，７を点灯させる。
【００６０】
尚、イグニッションスイッチ１５がオンされると、発光ダイオード６，７を点灯させる様にする自発光メータとしても良いが、スモールランプポジッションとヘッドランプポジッションで、これらの各発光ダイオードを点灯させる場合について以下に説明する。
【００６１】
以下、ライトコントロールスイッチ１４の各操作ポジションに対し、文字盤２と加飾部３と指針４の視認状態について説明する。
【００６２】
（１）オフポジション
太陽光等の白色光によって、文字盤２の文字２１と目盛２２が白色で表示され、その背景層２３が青色で表示される。指針４は、赤色で表示され、加飾部３の透光層３１は、背景層２３の青色と異なる銀色（メタリック調）で表示される。
【００６３】
これにより、図１において、文字盤２の背景層２３が青色で表示され、その青色の中に文字２１と目盛２２が白色で表示され、指針４が赤色で表示される。この青色の背景層２３の外枠を形成する加飾部３が、開口部３２ａが目視されることが無く、かつ背景層２３と表示色が異なる銀色で表示される。このため、加飾部３は、加飾機能が損なわれないで文字盤２と指針４とを加飾することができる。
【００６４】
（２）スモールランプポジションとヘッドランプポジション
点灯された発光ダイオード６の白色光は、リフレクタ８によって、指針４へ導かれ、指針４を赤色で発光表示させる。
【００６５】
一方、点灯された発光ダイオード７の白色光は、導光部９によって、矢印Ｐ１の光路に従って文字盤２へ導かれこれを透過照明し、矢印Ｐ２の光路に従って加飾部３へ導かれこれを透過照明する。
【００６６】
矢印Ｐ１の光路では、発光ダイオード７の白色光は、第１反射面９１で反射し、その反射光が拡散反射層９３で均一に反射し、この反射光が文字２１と目盛２２を透過照明してこれらを白色で発光表示させる。
【００６７】
矢印Ｐ２の光路では、発光ダイオード７の白色光は、第１反射面９１で反射し、この反射光が第２反射面９２で反射し、この反射光が第２貫通孔２５を通して加飾母材３０を透過する。この透過光が、不透光層３２の開口部３２ａ内の透光層３１（透光部）を透過照明し、これを橙色で発光表示させる。
【００６８】
特に夜間等では、図１において、不透光層３２が形成されていない開口部３２ａが、橙色で発光表示され、加飾部３の残部は黒色（暗い状態）となる。また、指針４は赤色で発光表示され、文字盤２の文字２１と目盛２２は白色で発光表示され、文字盤２の背景層２３は黒色（暗い状態）となる。
【００６９】
これにより、図１において、黒色の背景層２３の中に文字２１と目盛２２が白色で発光表示され、指針４が赤色で発光表示される。この黒色の背景層２３の外枠を形成する加飾部３の開口部３２ａが、橙色で発光表示されて、文字盤２の文字２１と目盛２２と指針４とを加飾することができる。
【００７０】
ここで、上述したように、開口部３２ａは、その幅が加飾部３の幅より狭く形成され、第２反射面９２を開口部３２ａと対向する位置に配設した。上述したように、従来技術では、図２において、不透光層３２がなく、加飾部３は、その全体で発光表示される。この場合、図中の矢印に示す左右方向の両端では、その輝度は低く、左右方向の中央部では、その輝度は高い。つまり、発光斑が生じる。
【００７１】
これに対して、本実施形態では、左右方向の中央部に開口部３を有する不透光層３２を設けているため、開口部３は、発光斑が生じることなくかつ高輝度で発光表示される。
【００７２】
さらに、発光ダイオード７の光を開口部３２ａと対向する位置まで導いているため、開口部３２ａを、効率よく発光表示させることができる。
【００７３】
即ち、発光表示される領域を高輝度の位置で狭くし、かつ、発光表示される部位の近傍まで光源の光を導いているため、開口部３２ａは、特にその幅方向に発光斑が生じることがなく、くっきりと、即ち、輝度が高く、黒色の背景層２３に対してコントラスト良く橙色で発光表示される。この結果、開口部３２ａは、文字盤２の文字２１と目盛２２と指針４とを見映えよく加飾することができる。
【００７４】
以上説明した本発明の一実施形態によるコンビネーションメータ１では、表示意匠である文字２１と目盛２２の外枠を形成する加飾部３が、その幅より狭い幅を有すると共に文字２１と目盛２２との外枠形状である略リング形状を有する透光部である開口部３２ａを備える。さらに、光源である発光ダイオード７からの光を開口部３２ａへ導く導光手段である導光部９が、開口部３２ａと対向する位置に、導光部９へ入射した発光ダイオード７からの光を開口部３２ａへ発する光出射部である第２反射面９２を備える。
【００７５】
これにより、開口部３２ａは、特にその幅方向に発光斑が生じることがなく、くっきりと、即ち、輝度が高く、黒色の背景層２３に対してコントラスト良く橙色で発光表示され、この結果、文字盤２の文字２１と目盛２２と指針４とを見映えよく加飾することができる。
【００７６】
さらに、専用の導光手段である導光部９を、加飾部３の開口部３２ａと対向する位置に設けているため、明るく視認性の良い照明を実現できる加飾部３を備えるコンビネーションメータ１を提供できる。
【００７７】
尚、加飾部３の形成方法は、上述した方法に限るものではなく、文字盤母材２０と加飾母材３０を一体のものとして形成してもよい。具体的には、板状の文字盤母材２０に背景層２３と不透光層３２と透光層３１とを印刷あるいはホットスタンプ等を施すことにより形成する。印刷等が施された後、加飾部３を、リング状に前面側（図２の矢印が示す上側）へ突出する形状で、圧空成型（絞り成型の一種）等により形成する。
【００７８】
この場合、不透光層３２は、光を透過しない例えば黒色の樹脂系材料で形成され、透光層３１は、例えば透光性樹脂に所定の粒径や形状を有する所定量のアルミ粉末を混入させた材料で形成される。
【００７９】
上述した場合では、オフポジションに加飾部３が銀色で表示されるように構成したが、これに限る必要はない。例えば、不透光層３２を、光を透過しない青色で形成し、透光層３１を、無色透明よりも低い光透過性を有するが透光性を有する青色で形成する。
【００８０】
この場合、文字盤２の背景層２３を、加飾部３の青色と異なる例えば灰色とする。また、導光部９により導かれた発光ダイオード７からの白色光を受けて、開口部３２ａが青色で発光表示されるように構成する。
【００８１】
この場合、オフポジションでは、図１において、文字盤２の背景層２３が灰色で表示され、その灰色の中に文字２１と目盛２２が白色で表示され、指針４が赤色で表示される。この灰色の背景層２３の外枠を形成する加飾部３が、開口部３２ａが目視されることが無く、かつ背景層２３と表示色が異なる青色で表示される。このため、加飾部３は、加飾機能が損なわれないで文字盤２と指針４とを加飾することができる。
【００８２】
一方、スモールランプポジションとヘッドランプポジションでは、特に夜間等で、図１において、黒色の背景層２３の中に文字２１と目盛２２が白色で発光表示され、指針４が赤色で発光表示される。この黒色の背景層２３の外枠を形成する加飾部３の開口部３２ａが、青色で発光表示されて、文字盤２の文字２１と目盛２２と指針４とを加飾することができる。
【００８３】
図４は、図２の第１変形例を示す断面図である。
【００８４】
図５は、図２の第２変形例を示す断面図である。
【００８５】
図６は、図２の第３変形例を示す断面図である。
【００８６】
第１変形例では、図４に示すように、導光部９を、第２反射面９２から加飾部３の開口部３２ａ近傍まで延出させ、その先端を光出射部である光出射面９４とする。これにより、発光ダイオード７からの光が、矢印Ｐ３の光路に従って、開口部３２ａ近傍まで導かれるため、よりくっきりと、即ち、輝度をより高く、黒色の背景層２３に対してよりコントラスト良く開口部３２ａを発光表示させることができる。
【００８７】
第２変形例では、図５に示すように、加飾部３の開口部３２ａを、加飾部３において指針４側の側面に形成する。また、導光部９を、第２反射面９２から開口部３２ａ近傍まで延出させ、その先端を光出射部である第３反射面９５とする。
【００８８】
これにより、発光ダイオード７からの光が、開口部３２ａ近傍まで導かれるため、よりくっきりと、即ち、輝度をより高く、黒色の背景層２３に対してよりコントラスト良く開口部３２ａを発光表示させることができる。
【００８９】
さらに、第２変形例では、発光ダイオード７からの光は、矢印Ｐ４の光路に従って、開口部３２ａを通して文字盤２の文字２１と目盛２２に導かれ、これらを照明する。これにより、見映えをさらに向上することができる。
【００９０】
第３変形例では、図６に示すように、導光部９の代わりに発光ダイオード７からの光を文字盤２へ均一に透過照明させる拡散板１０を設ける。拡散板１０は、ポリメチル・メタクリレート・アクリル（ＰＭＭＡ）樹脂等の透光性樹脂に不透光性粒を混入させた材料で形成される。
【００９１】
発光ダイオード７からの光は、リフレクタ８によって、拡散板１０へ導かれ、その一部は、文字盤２の文字２１と目盛２２を透過照明し、その残部は、加飾部３の開口部３２ａへ導かれる。即ち、第３変形例では、リフレクタ８と拡散板１０とが導光手段として機能する。これにより、上述の効果が得られる。
【００９２】
尚、加飾部３の開口部３２ａの形状は、上述の形状に限るものではない。文字盤２の文字２１と目盛２２との外枠形状であるならば何でも良く、例えば多角形でも、破線状であっても、これらの外枠に沿って形成された模様であってもよい。
【００９３】
また、指針計器として速度計を形成しているが、これらに限る必要は無く、他の計器、例えば回転計等と置き換える、あるいは追加しても良い。
【図面の簡単な説明】
【００９４】
【図１】図１は、本発明の一実施形態による指針計器であるコンビネーションメータ１の正面図である。
【図２】図２は、図１中のＩＩ−ＩＩ断面図である。
【図３】図３は、本発明の一実施形態によるコンビネーションメータ１の電気回路構成を説明する回路構成図である。
【図４】図４は、図２の第１変形例を示す断面図である。
【図５】図５は、図２の第２変形例を示す断面図である。
【図６】図６は、図２の第３変形例を示す断面図である。
【符号の説明】
【００９５】
１    コンビネーションメータ（指針計器）
２    文字盤
２０    文字盤母材
２１    文字（表示意匠）
２２    目盛（表示意匠）
２３    背景層（背景部）
２４    第１貫通孔
２５    第２貫通孔
３    加飾部
３０    加飾母材
３１    透光層（加飾表示層）
３２    不透光層
３２ａ    開口部（透光部）
４    指針
４１    遮光キャップ
５    ムーブメント
５１    シャフト
６    発光ダイオード
７    発光ダイオード（光源）
８    リフレクタ（導光手段）
９    導光部（導光手段）
９１    第１反射面
９２    第２反射面（光出射部、反射面）
９３    拡散反射層
９４    光出射面（光出射部）
９５    第３反射面（光出射部、反射面）
１０    拡散板（導光手段）
１１    プリント基板
１２    制御装置
１３    車速センサ
１４    ライトコントロールスイッチ
１５    イグニッションスイッチ
１６    バッテリ
【図１】
2006194636.tif 000003
【図２】
2006194636.tif 000004
【図３】
2006194636.tif 000005
【図４】
2006194636.tif 000006
【図５】
2006194636.tif 000007
【図６】
2006194636.tif 000008